(57)【要約】【課題】ハーフミラー、一般ミラー、および点滅ランプを用いて、ミラーとして利用され、点滅ランプの発光動作に応じて照明として利用され、よって、ユーザの関心を惹きつける保管ケースを提供する。【解決手段】本体と蓋部との間のロック手段に電気的な接点スイッチの機能を付加した電源スイッチと、電源スイッチのオン／オフ状態に応じて供給される電源によって発光および点滅するランプと、ランプの発光時に光透過性の変化を通じてミラーまたはガラス板として機能するハーフミラーと、ランプの発光時にランプから照射される光の指向性のために、保管ケースの背面に配置される一般ミラーと、ハーフミラーと一般ミラーとの間の隙間に配置されて、ランプから照射される光の屈折率を調整して立体感を表現する光伝達媒体と、を備える。【選択図】図３
2010505231.tif 000002
【特許請求の範囲】
【請求項１】
本体部と蓋部によって開閉可能な保管ケースにおいて、
前記本体と前記蓋部との間のロック手段に電気的な接点スイッチの機能を付加した電源スイッチと、
前記電源スイッチのオン／オフ状態に応じて供給される電源によって発光および点滅するランプと、
前記ランプの発光時に光透過性の変化を通じてミラーまたはガラス板として機能するハーフミラーと、
前記ランプの発光時に前記ランプから照射される光の指向性のために、前記保管ケースの背面に配置される一般ミラーと、
前記ハーフミラーと前記一般ミラーとの間の隙間に配置されて、前記ランプから照射される光の屈折率を調整して立体感を表現する光伝達媒体と、
を備えることを特徴とする保管ケース。
【請求項２】
前記電源スイッチは、一般的な接点スイッチとトランジスターを含み、前記接点スイッチがオン状態で前記トランジスターがオフ状態を維持し、前記接点スイッチがオフ状態で前記トランジスターがオン状態を維持し、前記トランジスターは、前記ランプへの電源供給路として用いられることを特徴とする、請求項１に記載の保管ケース。
【請求項３】
前記ランプは、発光ダイオード（ＬＥＤ）を含み、前記発光ダイオードは、自動点滅機能を有する３色発光ダイオードであることを特徴とする、請求項１に記載の保管ケース。
【請求項４】
前記光伝達媒体は、空気を含むことを特徴とする、請求項１に記載の保管ケース。
【請求項５】
前記光伝達媒体は、反射面が加工された立体フィルムを含むことを特徴とする、請求項１に記載の保管ケース。
【発明の詳細な説明】
【技術分野】
【０００１】
本発明は、保管ケースに関し、ハーフミラー、一般ミラー、および点滅ランプを用いて、ミラーとして利用され、点滅ランプの発光に応じて照明として利用されて、ユーザの関心を惹きつける保管ケースに関する。
【背景技術】
【０００２】
一般に、紛失や盗難の恐れがある貴重品または大切な物を、一ヶ所に集めて安全に保管するために保管ケースが用いられる。保管ケースとしては、金属を主な材料にして開閉可能な箱状に成形し、開閉装置を備えてロック可能に構成されたものが広く用いられている。
【０００３】
このような従来の保管ケースは、図１に示すように、本体部１０と蓋部２０を蝶番３０にて連結し、開閉可能な構造としている。
【０００４】
本体部１０と蓋部２０は、多様な材質で形成されるが、金属板をプレスなどの工程を通して箱状に成形した例を説明する。
【０００５】
一側壁一部が穿孔されて内側に複数の固定片４２が突出形成されるように構成された部分が形成され、この固定片４２が別途に用意された蝶番３０の結合孔(参照番号未付与)に各々対応されて結合された後、折曲されて蝶番が固定されるように構成されている。
【０００６】
このような従来の保管ケースは、多段階の製作工程を経る。概略的な工程として、本体部１０と蓋部２０で成形される金属板の切断→プレス成型→一側壁穿孔→蝶番結合→仕上げ作業→完成の工程により従来の保管ケースが完成される。
【０００７】
前述のような工程を経て、本体部１０と蓋部２０が結合されて開閉可能な構造を有する箱状に形成されると、図示されていないが、内部に衝撃吸収性を有する材質の衝撃吸収材、例えばスポンジなどを挿入して収納される物品の損傷を防ぎ、外面を多様な形態の模様で美しく飾ることもできる。
【発明の概要】
【発明が解決しようとする課題】
【０００８】
一般的に、宝石は、宝石の価値を高めるために、派手な保管ケースに収納されて保管または展示されうる。さらに、特別な照明やその他アクセサリーなどを用いることで、保管ケースと保管ケースに収納された宝石の価値を高めることができる。しかし、従来の保管ケースは、単純に視覚的な模様やデザインでしか、保管ケースに収納された宝石に対してユーザの感心を惹きつけることができなかった。
【０００９】
本発明の目的は、ハーフミラー、一般ミラー、および点滅ランプを用いて、ミラーとして利用され、点滅ランプの発光に応じて照明として利用されて、ユーザの関心を惹きつける保管ケースを提供することである。
【課題を解決するための手段】
【００１０】
上記課題を解決するために、本発明の第１の観点によれば、本体部と蓋部によって開閉可能な保管ケースにおいて、本体と蓋部との間のロック手段に電気的な接点スイッチの機能が付加された電源スイッチと、電源スイッチのオン／オフ状態に応じて供給される電源によって発光点滅するランプと、ランプの発光時に光透過性の変化を通じてミラーまたはガラス板として機能するハーフミラーと、ランプの発光時にランプから照射される光の指向性のために、保管ケースの背面に配置される一般ミラーと、ハーフミラーと一般ミラーとの間の隙間に配置されて、ランプから照射される光の屈折率を調整して立体感を表現する光伝達媒体と、を備える保管ケースが提供される。
【００１１】
他の追加的な特徴として、電源スイッチは、一般的な接点スイッチとトランジスターを含み、接点スイッチがオン状態でトランジスターがオフ状態を維持し、接点スイッチがオフ状態でトランジスターがオン状態を維持し、トランジスターは、ランプへの電源供給路として用いられる。
【００１２】
さらに他の追加的な特徴として、ランプは、発光ダイオード（ＬＥＤ）、特に自動点滅機能を有する３色ＬＥＤを含む。
【００１３】
さらに他の追加的な特徴として、光伝達媒体が空気を含み、特に反射面が加工された立体フィルムを含む。
【００１４】
本発明の目的と多様な特徴は、この技術分野に熟練した人々に、添付図を参照して後述される本発明の望ましい実施形態からより一層明確になる。
【発明の効果】
【００１５】
本発明により、自らの照明を通して、保管ケースと保管ケースに収納される宝石の価値を高めることができ、その他の保管可能な物品の価値を高めることができる。
【図面の簡単な説明】
【００１６】
【図１】従来の保管ケースの一般的な構成を示す斜視図である。
【図２】本発明の実施形態に係る保管ケースの外観を示す斜視図である。
【図３】本発明の実施形態に係る発光点滅機能のための回路構成例を示す図である。
【発明を実施するための形態】
【００１７】
以下、本発明の望ましい実施形態を添付図を参照して詳細に説明する。
【００１８】
図２は、本発明の実施形態に係る保管ケースの外観を示す斜視図であり、図３は、本発明の実施形態に係る発光点滅機能のための回路構成例を示す図である。
【００１９】
図示されているように、実施形態に係る保管ケースは、従来の保管ケースの一般的な構成と大きく変わりがなく、発光ミラー部１００と電源スイッチ１１０が追加されている。
【００２０】
電源スイッチ１１０は、従来の保管ケースで単純なロック手段として利用されていた部分に、電気的な接点スイッチの機能を付加したものである。発光ミラー部１００は、電源スイッチ１１０のオン／オフ状態に応じて供給される電源によって発光点滅するランプ１０４と、ランプ１０４の発光時に光透過性の変化を通じてミラーまたはガラス板として機能するハーフミラー１０１と、ランプ１０４の発光時にランプ１０４から照射される光の反射のために、保管ケースの背面に配置される一般ミラー１０３と、ハーフミラー１０１と一般ミラー１０３との間に配置されてランプ１０４から照射される光の屈折率を調整して立体感を表現する光伝達媒体１０２と、を含む。
【００２１】
また、電源スイッチ１１０は、一般的な接点スイッチとトランジスターを含み、接点スイッチがオン状態でトランジスターがオフ状態を維持し、よって、ランプ１０４の発光を妨げる。つまり、保管ケースが閉じられている場合にランプ１０４への電源供給が妨げられ、バッテリーの消耗が最大限防止される。
【００２２】
しかし、バッテリーの消耗を防止しなくてもよい場合、トランジスターを用いずに、接点スイッチがオン状態でランプ１０４が発光するようにしてもよい。
【００２３】
また、ランプ１０４としては、発光ダイオード（ＬＥＤ）を用いることが望ましく、さらに望ましくは、自動点滅機能を有する３色ＬＥＤを用いることが保管ケースの照明として理想的である。しかし、これに限定されるものではない。
【００２４】
また、光伝達媒体１０２は、空気を含み、反射面が加工された立体フィルムであることが望ましい。
【００２５】
図２と図３を参照して、保管ケースの動作を簡略に説明すると、保管ケースが閉じられている場合に、電源スイッチ１１０の接点スイッチがオン状態を維持する。
【００２６】
よって、ＤＣ電源(バッテリー)の電圧がトランジスターのゲート端子に印加され、よって、トランジスターのドレイン端子とソース端子との間に電流が生じず、ランプ１０４への電源供給が遮断される。
【００２７】
よって、保管ケースの上部ケースの表面に配置された発光ミラー部１００のハーフミラー１０１は、一般的なミラーとして利用される。ここで、ユーザが保管ケースを開くと、電源スイッチ１１０の接点スイッチがオフ状態を維持するようになる。これにより、トランジスターのゲート端子への電源供給が遮断される。結果として、トランジスターのドレイン端子とソース端子との間に電流が生じ、ランプ１０４が発光する。よって、ハーフミラー１０１の背面に配置されるランプ１０４が発光するので、ハーフミラー１０１は、その特性により前面と背面との間で光が透過し、従来のミラー状態で一般的なガラス板のように光透過性が高まる。
【００２８】
ランプ１０４の発光により照射される光は、一般ミラー１０３を通じて一側方向、ハーフミラー１０１側への反射性，つまり指向性を有する。ハーフミラー１０１と一般ミラー１０３との間に配置される光伝達媒体１０２を通じて光の屈折率が調整されるので、発光ミラー部１００は、散乱などの現象を通じて照明として機能する。
【００２９】
必要に応じて、ハーフミラーは、保管ケースの内部に面するように配置されてもよい。このような変更は、本発明の目的および要旨を逸脱しないことは自明である。
【００３０】
また、本発明は、宝石保管用の保管ケースと同様に、一般物品保管用の保管ケースの機能をより高めることができる。
【００３１】
以上、本発明の望ましい実施形態について説明したが、本発明はこれに限定されるものではなく、特許請求の範囲と発明の詳細な説明及び添付図の範囲内において多様に変形して実施でき、これらも本発明の範囲に属するのは当然である。
【符号の説明】
【００３２】
１０    本体部
２０    蓋部
３０    蝶番
４２    固定片
１００    発光ミラー部
１１０    電源スイッチ
１０１    ハーフミラー
１０２    光伝達媒体
１０３    ミラー
１０４    ランプ
【図１】
2010505231.tif 000003
【図２】
2010505231.tif 000004
【図３】
2010505231.tif 000005
【国際調査報告】
2010505231.tif 000006
2010505231.tif 000007